(57)【要約】【課題】コンセントケースの成形性が良くて生産性が向上し、火花放電の検出孔の孔径を小さく形成することができ、而も検出孔の清掃が容易にできる電源コンセントを提供する。【解決手段】電源コンセント１はコンセントケース２の前面のプラグ挿入口３，３間に形成された透孔５に、弾性を有する軟質樹脂材料又はゴム材料で透孔５の形状より僅かに大きく形成するとともに中央に検出孔７を形成して成るブッシング６を検出孔７がコンセントケース２表面とセンサ７とを連通させるように圧入して装着する。プラグの栓刃間に発生する火花放電はブッシング６の検出孔７から進入して検出孔７の内側に設けたセンサ８に接触することより検出される。【選択図】図２
2006048962.tif 000002
【特許請求の範囲】
【請求項１】
絶縁材料により形成したコンセントケースの前面に１対のプラグ挿入口を１個又は複数個形成し、該プラグ挿入口の内側にプラグの栓刃を挟持する受刃を配設し、前記プラグ挿入口間に透孔を形成し、該透孔の内側に前記栓刃間に発生する火花放電を検知するセンサを配設して成る電源コンセントにおいて、弾性を有する軟質樹脂材料又はゴム材料で前記透孔の形状より外形が僅かに大きいブッシングを形成し、該ブッシングを貫通する検出孔を形成し、該検出孔が前記コンセントケース表面と前記センサとを連通させるように前記ブッシングを前記透孔に圧入して装着したことを特徴とする電源コンセント。
【請求項２】
前記ブッシングの検出孔が多数形成されていることを特徴とする請求項１に記載の電源コンセント。
【発明の詳細な説明】
【技術分野】
【０００１】
本発明は、トラッキングに至る前に発生する火花放電を検知してトラッキングの発生を防止する電源コンセントに関する。
【背景技術】
【０００２】
従来、トラッキングを防止する機能を有する電源コンセントとして特許文献１に示すものがある。特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
従来の電源コンセントはトラッキングに至る前に発生する火花放電を検出するセンサである導電板が電源コンセント表面に露出しているため、導電性のものが接触した際に誤動作する虞があったし、プラグ利用者の手等が接触することも考えられ、好ましいものではなかった。そこで本出願人は特願２００３−１２０５４６により、センサを電源コンセントのカバー表面に露出させずにカバー表面のプラグ挿入口間に形成した小さな透孔の内側にセンサを配置し、透孔から進入した微小な火花放電をセンサにより検出する電源コンセントを提案している。カバーに形成される透孔は水や埃が入らないようしたり、センサからの出力電流を小さくしてアンプ回路の負荷を軽減するために小さければ小さいほど良いが、従来の電源コンセントは透孔を電源コンセントのカバーに直接形成しているため、直径０．５ｍｍ程度が限界であり、また、成形性が悪く生産性が良くないという欠点があった。
【課題を解決するための手段】
【０００５】
本発明は、請求項１に記載の発明によれば、絶縁材料により形成したコンセントケースの前面に１対のプラグ挿入口を１個又は複数個形成し、プラグ挿入口の内側にプラグの栓刃を挟持する受刃を配設し、プラグ挿入口間に透孔を形成し、透孔の内側に栓刃間に発生する火花放電を検知するセンサを配設して成る電源コンセントにおいて、弾性を有する軟質樹脂材料又はゴム材料で透孔の形状より外形が僅かに大きいブッシングを形成し、ブッシングを貫通する検出孔を形成し、検出孔がコンセントケース表面とセンサとを連通させるようにブッシングを透孔に圧入して装着したことを特徴とする。
【０００６】
請求項２に記載の発明によれば、請求項１に記載の電源コンセントにおいて、ブッシングの検出孔が多数形成されていることを特徴とする。
【発明の効果】
【０００７】
本発明は、請求項１に記載の発明によれば、絶縁材料により形成したコンセントケースの前面に１対のプラグ挿入口を１個又は複数個形成し、プラグ挿入口の内側にプラグの栓刃を挟持する受刃を配設し、プラグ挿入口間に透孔を形成し、透孔の内側に栓刃間に発生する火花放電を検知するセンサを配設して成る電源コンセントにおいて、弾性を有する軟質樹脂材料又はゴム材料で透孔の形状より外形が僅かに大きいブッシングを形成し、ブッシングを貫通する検出孔を形成し、検出孔がコンセントケース表面とセンサとを連通させるようにブッシングを透孔に圧入して装着したことにより、コンセントケースの成形性が良く、生産性が向上するとともに、検出孔の孔径を小さく形成することができ、而も検出孔の清掃が容易にできるという効果がある。
【０００８】
請求項２に記載の発明によれば、請求項１に記載の電源コンセントにおいて、ブッシングの検出孔が多数形成されていることにより、火花放電の測定範囲を拡大することができるという効果がある。
【発明を実施するための最良の形態】
【０００９】
電源コンセントはコンセントケースの前面のプラグ挿入口間に形成された透孔に、弾性を有する軟質樹脂材料又はゴム材料で透孔の形状より僅かに大きく形成するとともに中央に検出孔を形成して成るブッシングを検出孔がコンセントケース表面とセンサとを連通させるように圧入して装着する。プラグの栓刃間に発生する火花放電はブッシングの検出孔から進入して検出孔の内側に設けたセンサに接触することより検出される。
【実施例１】
【００１０】
本発明に係る電源コンセントの実施例１を図１〜図３の添付図面に基づいて説明する。
【００１１】
電源コンセント１は、絶縁材料によりコンセントケース２が形成され、コンセントケース２の前面にプラグの栓刃（図示せず）を挿入するための１対のプラグ挿入口３，３が中央と下部の２箇所に形成され、プラグ挿入口３の内側にはプラグの栓刃を挟持する受刃４が配設され、また、夫々のプラグ挿入口３，３間の中間位置に透孔５が形成されている。
【００１２】
透孔５には、ブッシング６が取り付けられる。ブッシング６は弾性を有する軟質樹脂材料又はゴム材料により透孔５の形状より外形が僅かに大きく形成され、中央に検出孔７が貫通形成されて略円筒形に形成されている。このブッシング６は、検出孔７がコンセントケース２表面と後述するセンサ８とを連通させるように透孔５に圧入して装着されている。
【００１３】
コンセントケース２の内部には透孔５の内側にセンサ８が配設されている。センサ８は金属片等の導電部材により形成され、コンセントケース２の内部に配設されたプリント基板９のトラッキング検出回路に接続されている。
【００１４】
電源コンセント１のトラッキング検出動作を説明すると、受刃４，４に接続されたプラグの栓刃間に埃等が溜まり空気中の湿気を吸収することにより水分を介して栓刃間に微小な電流が流れ、その電荷を帯びた水分が気化して火花放電が発生する。そして、火花放電が検出孔７から進入してセンサ８に接触すると微小な電流が流れる。このセンサ８の出力電流からトラッキング検出回路はトラッキングを検出し、コンセントケース２に内蔵したブレーカ１０を作動させて電路を遮断すると共に表示ランプ１１によって表示を行うようになっている。
【００１５】
このように、電源コンセント１は透孔５に検出孔７を形成したブッシング６を取り付けることによって透孔５の孔径はそれほど小さくしなくても良いのでコンセントケース２の成形性が良く、生産性が向上する。また、ブッシング６を軟質樹脂材料又はゴム材料で形成し、圧入して装着することによってブッシングの外形が縮むので検出孔の孔径を０．１ｍｍ程度にすることができる。而も、検出孔が埃等で塞がってしまった場合でも検出孔の孔径より少し直径の大きい針等を用いて容易に清掃することができる。
【００１６】
尚、本実施例において、透孔が円形に形成され、ブッシングを略円筒形に形成したが、例えば、図４に示すように一方端を拡径した形状に形成したり、矩形状に形成したり、長孔形状であってもよく、コンセントケースの透孔及びブッシングの形状について限定はない。また、電源コンセントはプラグが２個接続できる２口電源コンセントであるが、１口電源コンセントでも良いし、複数個のプラグが接続できる延長タップ等でも良い。また、ブレーカを内蔵して電路を遮断するようになっているがトラッキング検出時の動作について限定はない。
【実施例２】
【００１７】
本発明に係る電源コンセントの実施例２を図５の添付図面に基づいて説明する。尚、実施例１と同一部分は同一符号を付して説明を省略する。
【００１８】
本実施例では、ブッシング６の検出孔７が多数形成されている。これにより火花放電の測定範囲を拡大することができる。
【図面の簡単な説明】
【００１９】
【図１】本発明の実施例１に係る電源コンセントの正面図である。
【図２】図１のＡ−Ａ線断面図である。
【図３】本発明の実施例１に係るブッシングを示す斜視図である。
【図４】ブッシングの変形実施例を示す斜視図である。
【図５】本発明の実施例２に係る電源コンセントの要部断面図である。
【符号の説明】
【００２０】
１    電源コンセント
２    コンセントケース
３    プラグ挿入口
４    受刃
５    透孔
６    ブッシング
７    検出孔
８    センサ
９    プリント基板
１０    ブレーカ
【図１】
2006048962.tif 000003
【図２】
2006048962.tif 000004
【図３】
2006048962.tif 000005
【図４】
2006048962.tif 000006
【図５】
2006048962.tif 000007